(57)【要約】 【課題】外観を良くして商品価値を高めた着座式便器の提供を図る。 【解決手段】  排便用開口部１２を有する便器本体１１と、便器本体１１の排便用開口部１２を開閉する便蓋１５と、アームレスト１９と、アームレスト１９のアームレストステイ２３に装着された背もたれ棒３１と、を備える。背もたれ棒３１は、着座した使用者の背中を支えることが可能な背もたれ位置に便蓋１５を支持する展開位置から、アームレストステイ２３に沿って格納される格納位置に、格納自在である。これにより、アームレスト機能および背もたれ機能を備える便器１０でありながらも、背もたれ棒３１が不要な時はアームレストステイ２３に沿って格納することができるため、外観が良くなり商品価値が高まる。【選択図】図１
2006149476.tif 000002
【特許請求の範囲】
【請求項１】
排便用開口部を有する便器本体と、
前記便器本体の排便用開口部を開閉する便蓋と、
前記便器本体の左右の少なくとも一方に設けられ着座した使用者の肘をかけることが可能なアームレストと、
前記アームレストのアームレストステイに装着された背もたれ棒と、を備え、
前記背もたれ棒は、前記便蓋を背もたれ位置に支持する展開位置から、前記アームレストステイに沿って格納される格納位置に、格納自在であることを特徴とする着座式便器。
【請求項２】
請求項１に記載の着座式便器であって、
前記アームレストは便器本体に取り付けられていることを特徴とする着座式便器。
【発明の詳細な説明】
【技術分野】
【０００１】
本発明は、着座式便器に関する。
【背景技術】
【０００２】
近年、トイレルームでゆっくりと時間を過ごすニーズが高まりつつある。例えば、トイレルーム内で新聞や雑誌を読んだり、リビングルームで椅子に座ってくつろぐがごとくトイレルームで便座に座ることを要望するニーズもある。
【０００３】
このようなニーズに応えるため、便座の座り心地性を向上させるだけではなく、アームレストを付けたり（例えば特許文献１）、背もたれを付けたりすることが考えられる（例えば特許文献２）。
【特許文献１】特開２０００−１５７４５７号公報
【特許文献２】特開２００１−３６４号公報図２、図３
【発明の開示】
【発明が解決しようとする課題】
【０００４】
しかしながら、このようなアームレストや背もたれ機能を備える便器は、必ずしも見栄えが良いとは言えない。例えば、便器に背もたれ機能をつける場合は、便蓋を背もたれ位置に支持する支持棒などを床または壁に設けることが考えられるが、この支持棒が出っ張り見栄えが良いとはいえない。
【０００５】
そこで、本発明は、背もたれ機能を備えつつも意匠性があがり商品価値が向上する着座式便器の提供を目的とする。
【課題を解決するための手段】
【０００６】
請求項１の発明の着座式便器は、排便用開口部を有する便器本体と、前記便器本体の排便用開口部を開閉する便蓋と、前記便器本体の左右の少なくとも一方に設けられ着座した使用者の肘をかけることが可能なアームレストと、前記アームレストのアームレストステイに装着された背もたれ棒と、を備え、
前記背もたれ棒は、前記便蓋を背もたれ位置に支持する展開位置から、前記アームレストステイに沿って格納される格納位置に、格納自在であることを特徴とするものである。なお、本明細書において「便蓋の背もたれ位置」とは着座した使用者の背中を支えることが可能な位置をいう。
【０００７】
請求項２の発明の発明は、請求項１に記載の着座式便器であって、前記アームレストは便器本体に取り付けられていることを特徴とするものである。
【発明の効果】
【０００８】
請求項１に記載の発明によれば、背もたれ棒をアームレストステイに沿って格納できる。そのため、アームレス機能および背もたれ機能つきの便器でありながらも、デザイン的にすっきりまとまる商品価値の高い便器となる。
【０００９】
請求項２に記載の発明によれば、アームレストが便器本体に取り付けられた構造であるため、アームレストをトイレルームの床や壁に固定した構造（例えば特開２００−１５７４５７号等）に比べ、デザイン的にさらにすっきりまとまった商品価値の高い便器となる。また、背もたれ機能付きのアームレストを、既存の便器に簡単に取り付けることができる利点もある。
【発明を実施するための最良の形態】
【００１０】
＜着座式便器の構成＞  
以下、本発明の一実施形態を図１〜図５に基づいて説明する。
【００１１】
図１、図２に示すように、この実施形態の着座式便器１０は、排便用開口部１２を有する便器本体１１と、便器本体１１の上面に同軸上に回転自在に取り付けられた便座１３および便蓋１５と、便器本体１１の後部上面に取り付けられた洗浄装置１７と、を備える。便座１３は、便器本体１１の排便用開口部１２の周縁に沿って環状形または馬蹄形に形成されている。便蓋１５は、図１中仮想線で示すように、便座１３の上から便器本体１１の排便用開口部１２を開閉する。つまり、便蓋１５は、便器本体１１の排便用開口部１２を閉じる「全閉位置」と、便器本体１１の排便用開口部１２を全開する「全開位置」と、の２点間で回動自在であり、便蓋１５の全開位置では洗浄装置１７に設けられたストッパ部または便器本体１１に取り付けられたストッパ部などに支持されている。
【００１２】
この実施形態の便器１０は、図１〜図３に示すように便器本体１１の右側にアームレスト１９を備える。アームレスト１９は、着座した使用者が直接肘をのせるアームレスト本体２１と、アームレスト本体２１を固定支持するアームレストステイ２３と、アームレストステイ２３を便器本体１１に取り付ける取付部２５と、を一体に備える。アームレストステイ２３は、パイプ部材に曲げ加工およびまたは潰し加工などを施して所定の形状にしたものである。アームレストステイ２３の基端部の取付部２５は、図３に示すように便器本体１１に取り付けられたＬ字状のベースプレート２７の縦壁部２７ｂに固定されるプレート部２５ａと、このプレート部２５ａに対してアームレストステイ２３を回転自在に支持する円柱状の回転部２５ｂと、を有している。これによりアームレスト１９を図１、２に示す「肘掛け位置」から後上方（＝図中矢印Ｙ方向）に跳ね上げて、アームレストが清掃時などの際に邪魔にならないようできる。
【００１３】
なお、アームレスト１９は、使用者が用便時あるいは用便前後の着離脱時に体の支えにすることも勿論できる。そのため、アームレスト１９のアームレストステイ２３および取付部２５は、所要の強度を保持する為に金属製材料が好ましい。一方、アームレスト本体２１は、使用者の掌や脇を安全に支えることができるように柔らかい布やキャンバス等の材料が配設される。
【００１４】
ここで、この実施形態の便器１０は、図１〜図３に示すようにアームレスト１９のアームレストステイ２３に背もたれ棒３１が装着されている。この背もたれ棒３１の装着位置は、アームレストステイ２３の長手方向の途中に固定された回転支持部３３である。背もたれ棒３１はこの回転支持部３３を支点にして図４（図４ａ→図４ｂ）に示すように「展開位置」と、アームレストステイ２３に沿って格納される「格納位置」と、に亘って回転自在となっている。背もたれ棒３１は「展開位置」で「背もたれ位置」に停止させるものである。なお、便蓋１５の「背もたれ位置」とは、便蓋１５で着座した使用者の背中を支えることが可能な位置をいう。この実施形態では、便蓋１５の全開位置よりも若干傾斜が大きい位置となっている。
【００１５】
図５は回転支持部３３の一例の分解斜視図である。図５の回転支持部３３は、アームレストステイ２３に一体に固定された球状の支持枠３５と、該球状支持枠３５内に回転自在に装着された球状体３７と、を備えたボールジョイント構造となっている。球状体３７には、背もたれ棒３１の基端部を連結固定する円柱状のスティック部３８が設けられる一方で、球状支持枠３７には、スティック部３８を挿通してスティック部３８（背もたれ棒３１）の回転方向を案内する案内溝３９が設けられている。これにより、スティック部３８に連結固定された背もたれ棒３１が、「展開位置」と「格納位置」とに亘って回動できるようになっている。なお、背もたれ棒３１の展開位置では背もたれ棒３１に着座した使用者の背面圧が加わるため、背もたれ棒３１の展開位置に対応する案内溝３９の終点には、半筒状のストッパ４０が設けられている。
【００１６】
次に、この実施形態の作用効果を説明する。
【００１７】
（１）この実施形態によれば、アームレスト１９のアームレストステイ２３に装着された背もたれ棒３１は、便蓋１５を背もたれ位置に支持する「展開位置」から、アームレストステイ２３に沿って格納される「格納位置」に、格納自在に設けられている。そのため、不要な時には、背もたれ棒３１をアームレストステイ２３に沿って格納できる。結果、アームレス機能および背もたれ機能つきの便器１０でありながらも、デザイン的にすっきりまとまった商品価値の高い便器１０となる。
【００１８】
（２）また、背もたれ棒をアームレストステイ２３に格納できるので、アームレストステイ２３を後上方に跳ね上げる際に、アームレストステイ２３が便器本体１１や洗浄装置１７などと干渉して邪魔になることを防止できる。
【００１９】
（３）またこの実施形態によれば、アームレスト１９を便器本体１１に取り付けた構造である。そのため、アームレストをトイレルームの床や壁に固定した構造（例えば特開２０００−１５７４５７号等）に比べ、デザイン的にさらにすっきりまとまった商品価値の高い便器１０となる。また、背もたれ機能付きのアームレスト１９を、既存の便器に簡単に取り付けることができる。
【００２０】
（４）またこの実施形態によれば、背もたれ棒３１の回転支持部３３をボールジョイント構造としたため、例えば回転支持部を二軸を組み合わせた構造にした場合や軸と蝶番とを組み合わせ構造とするよりも、構造が簡素化される。
【００２１】
以上、本発明の一実施形態を図面に基づいて説明したが、本発明は上述の実施形態に限定されるものではなく、例えば下記の様な変更変更が可能である。
【００２２】
上述の実施形態では、アームレスト１９は便器本体１１の右側に一本のみ設けられているが、便器本体の左右に一対のアームレストを設けてもよい。この場合、一方のアームレストステイに装着された背もたれ棒の先端部に、他方のアームレストのアームレストステイを把持するフック部が設けると更に好ましい。このようにフック部があると、背もたれ棒を両アームレストに懸架できるので、着座した使用者からの背面荷重に対する背もたれ棒の耐久荷重が大きくなるからである。
【００２３】
また、上述の実施形態では背もたれ棒の回転支持部３３はボールジョイント構造であるが、本発明では背もたれ棒の回転支持部は例えば回転軸と蝶番とを組み合わせた構造など、その他の構造であってもよい。
【００２４】
また、本発明はその他の変更も可能であり上述の実施形態に限定されない。
【図面の簡単な説明】
【００２５】
【図１】本発明の一実施形態における着座式便器の側面図である。
【図２】同着座式便器の斜視図。
【図３】同着座式便器の便器本体に対するアームレストと取り付け状態を示す分解斜視図。
【図４】図４ａは同着座式便器の背もたれ棒の展開位置を示す図、図４ｂは背もたれ棒の格納位置を示す図。
【図５】同着座式便器の背もたれ棒の回転支持部の一例の分解斜視図。
【符号の説明】
【００２６】
１０…着座式便器
１１…便器本体
１２…排便用開口部
１３…便座
１５…便蓋
１７…洗浄装置
１９…アームレスト
２１…アームレスト本体
２３…アームレストステイ
２５…取付部
２５ａ…プレート部
２５ｂ…回転部
２７…ベースプレート
２７ｂ…縦壁部
３１…背もたれ棒
【図１】
2006149476.tif 000003
【図２】
2006149476.tif 000004
【図３】
2006149476.tif 000005
【図４】
2006149476.tif 000006
【図５】
2006149476.tif 000007